(57)【要約】【課題】工場等で予めカットされた軒天材の端部に軒天見切材を係合しても、軒天見切材と外装材との間に隙間を生じさせることのない軒天見切構造および軒天見切構造の施工方法を提供する。【解決手段】軒天見切材１５が、軒天見切材本体１６と調整部材１７とを備えており、軒天見切材本体１６が軒天材１０の端部に係合されており、調整部材１７が、軒天見切材本体１０と一部が重なった状態で、軒天見切材本体１６と外装材２との間の隙間に配置されるとともに該外装材２に当接されているので、工場等で予めカットされた軒天材１０の端部に軒天見切材１５を係合しても、軒天見切材１５と外装材との間に隙間が生じることがない。【選択図】図３
2009203691.tif 000002
【特許請求の範囲】
【請求項１】
屋根の軒天材の端部と建物躯体に取り付けられた外装材との間に軒天見切材が設けられてなる軒天見切構造において、
前記軒天見切材は、軒天見切材本体と調整部材とを備えており、
前記軒天見切材本体は前記軒天材の端部に係合されており、
前記調整部材は、前記軒天見切材本体と一部が重なった状態で、前記軒天見切材本体と前記外装材との間の隙間に配置されるとともに該外装材に当接されていることを特徴とする軒天見切構造。
【請求項２】
請求項１に記載の軒天見切構造において、
前記調整部材は前記軒天見切材本体にスライド可能に係合されていることを特徴とする軒天見切構造。
【請求項３】
請求項１または２に記載の軒天見切構造において、
前記軒天材の端部は、その下面から止着材を屋根の軒先に設けられた野縁に打ち込むことによって固定されており、
前記軒天見切材は、前記軒天材の端部と前記野縁によって挟まれていることを特徴とする軒天見切構造。
【請求項４】
請求項１に記載の軒天見切構造を施工する軒天見切構造の施工方法であって、
予め軒天材の端部に、軒天見切材本体を係合しておき、
次に、前記軒天見切材本体が係合された軒天材を屋根の軒先に取り付けるとともに、調整部材を、その一部が前記軒天見切材本体と重なった状態で、前記軒天見切材本体と前記外装材との間の隙間に配置するとともに該外装材に当接することを特徴とする軒天見切構造の施工方法。
【請求項５】
請求項２に記載の軒天見切構造を施工する軒天見切構造の施工方法であって、
予め軒天材の端部に、軒天見切材本体に調整部材がスライド可能に係合されてなる軒天見切材の前記軒天見切材本体を係合しておき、
次に、前記軒天見切材が取り付けられた軒天材を屋根の軒先に取り付けるとともに、調整部材をスライドさせて前記軒天切材本体と前記外装材との間の隙間に配置するとともに該外装材に当接することを特徴とする軒天見切構造の施工方法。
【発明の詳細な説明】
【技術分野】
【０００１】
本発明は、屋根の軒天材の端部と建物躯体に取り付けられた外装材との間に軒天見切材が設けられてなる軒天見切構造および軒天見切構造の施工方法に関する。
【背景技術】
【０００２】
屋根の軒天材の端部と建物躯体に取り付けられた外装材との間に軒天見切材が設けられてなる軒天見切構造の一例として、特許文献１に記載のものが知られている。
この軒天見切構造は、建物の軒先に設けられた軒天材の基端部と、建物の躯体に取り付けられた外装材の上端部との間に、軒天見切材が設けられてなる軒天見切り構造において、前記軒天材の基端部と前記躯体との間に、前記外装材の上端部が配置され、前記軒天材の基端部に前記軒天見切材が係合されており、かつ、この軒天見切材は前記外装材の表面側に当接されていることを特徴とするものである。
前記軒天見切材は、軒天材の基端部に係合する凹溝状の係合部を備え、この係合部の裏側が前記外装材の上端部表面に当接されている。
【特許文献１】特開２００２−９７７６６号公報
【発明の開示】
【発明が解決しようとする課題】
【０００３】
ところで、建物を施工する際の施工誤差等によって、屋根の軒先と建物躯体に取り付けられた外装材との間の距離が設計寸法より長くなることがある。
一方、軒天見切材と外装材との間に隙間が生じないようにするために、軒天見切材は外装材に当接する必要がある。
このため、屋根の軒先と建物躯体に取り付けられた外装材との間の距離に合わせて、軒天材を現場でカット（切断）し、このカットされた軒天材の端部に軒天見切材を係合するとともに外装材に当接し、これによって、軒天見切材と外装材との間に隙間が生じないようにしている。
このように、軒天材は工場等で予めカットすることができず、このため、現場での軒天材のカットに手間がかかっていた。
【０００４】
本発明は上記事情に鑑みてなされたもので、工場等で予めカットされた軒天材の端部に軒天見切材を係合しても、軒天見切材と外装材との間に隙間を生じさせることのない軒天見切構造および軒天見切構造の施工方法を提供することを課題としている。
【課題を解決するための手段】
【０００５】
上記課題を解決するために、請求項１に記載の発明は、例えば図１〜図４に示すように、屋根（屋根パネル４）の軒天材１０の端部と建物躯体（壁パネル１）に取り付けられた外装材２との間に軒天見切材１５が設けられてなる軒天見切構造において、
前記軒天見切材１５は、軒天見切材本体１６と調整部材１７とを備えており、
前記軒天見切材本体１６は前記軒天材１０の端部に係合されており、
前記調整部材１７は、前記軒天見切材本体１０と一部が重なった状態で、前記軒天見切材本体１６と前記外装材２との間の隙間に配置されるとともに該外装材２に当接されていることを特徴とする。
【０００６】
請求項１に記載の発明によれば、軒天見切材本体１６が軒天材１０の端部に係合され、調整部材１７が軒天見切材本体１６と一部が重なった状態で、軒天見切材本体１６と外装材２との間の隙間に配置されるとともに該外装材２に当接されるので、工場等で予めカットされた軒天材１０の端部に軒天見切材１５を係合しても、軒天見切材１５と外装材との間に隙間が生じることがない。
【０００７】
請求項２に記載の発明は、例えば図５および図６に示すように、請求項１に記載の軒天見切構造において、
前記調整部材１７は前記軒天見切材本体２６にスライド可能に係合されていることを特徴とする。
【０００８】
請求項２に記載の発明によれば、調整部材１７は前記軒天見切材本体２６にスライド可能に係合されているので、調整部材１７を係合した状態で軒天見切材本体２６を軒天材１０の端部に取り付けることができ、その後、調整部材１７をスライドさせることによって、軒天切材本体２６と外装材２との間の隙間に容易に配置するとともに該外装材２に当接することができる。
【０００９】
請求項３に記載の発明は、請求項１または２に記載の軒天見切構造において、
前記軒天材１０の端部は、その下面から止着材１８を屋根の軒先に設けられた野縁１１に打ち込むことによって固定されており、
前記軒天見切材１５（２５）は、前記軒天材１０の端部と前記野縁１１によって挟まれていることを特徴とする。
ここで、止着材１８は軒天材１０の端部の下面から該軒天材１０と軒天見切材１５（２５）とを貫通して前記野縁に打ち込むのが望ましい。
【００１０】
請求項３に記載の発明によれば、軒天見切材１５（２５）は、軒天材１０の端部と野縁１１によって挟まれているので、軒天材１０の端部と建物躯体に取り付けられた外装材２との間に軒天見切材１５（２５）を確実に固定できる。
【００１１】
請求項４に記載の発明は、請求項１に記載の軒天見切構造を施工する軒天見切構造の施工方法であって、
予め軒天材１０の端部に、軒天見切材本体１６を係合しておき、
次に、前記軒天見切材本体１６が係合された軒天材１０を屋根の軒先に取り付けるとともに、調整部材１７を、その一部が前記軒天見切材本体１６と重なった状態で、前記軒天見切材本体１６と前記外装材２との間の隙間に配置するとともに該外装材２に当接することを特徴とする。
【００１２】
請求項４に記載の発明によれば、軒天見切材本体１６が係合された軒天材１０を屋根の軒先に取り付けるとともに、調整部材１７を、その一部が前記軒天見切材本体１６と重なった状態で、前記軒天見切材本体１６と前記外装材２との間の隙間に配置するので、工場等で予めカットされた軒天材１０の端部に軒天見切材１５を係合しても、軒天見切材１５と外装材２との間に隙間が生じることがない。
【００１３】
請求項５に記載の発明は、請求項２に記載の軒天見切構造を施工する軒天見切構造の施工方法であって、
予め軒天材１０の端部に、軒天見切材本体２６に調整部材１７がスライド可能に係合されてなる軒天見切材２５の前記軒天見切材本体２６を係合しておき、
次に、前記軒天見切材２５が取り付けられた軒天材１０を屋根の軒先に取り付けるとともに、調整部材１７をスライドさせて前記軒天切材本体２６と前記外装材２との間の隙間に配置するとともに該外装材２に当接することを特徴とする。
【００１４】
請求項５に記載の発明によれば、軒天見切材本体２６に調整部材１７がスライド可能に係合されてなる軒天見切材２５が取り付けられた軒天材１０を屋根の軒先に取り付けるとともに、調整部材１７をスライドさせて前記軒天切材本体２６と前記外装材２との間の隙間に配置するとともに該外装材２に当接するので、工場等で予めカットされた軒天材１０の端部に軒天見切材２５を係合しても、軒天見切材２５と外装材２との間に隙間が生じることがない。
また、軒天材１０に予め軒天見切材２５を係合しておくので、軒天材１０を屋根の軒先に取り付ける際に、調整部材１７を軒天見切部材本体２６に重ねる作業が不要であり、軒天材１０の取り扱いが容易となる。
【発明の効果】
【００１５】
本発明によれば、軒天見切材は、軒天見切材本体と調整部材とを備えており、前記軒天見切材本体は前記軒天材の端部に係合されており、前記調整部材は、前記軒天見切材本体と一部が重なった状態で、前記軒天見切材本体と前記外装材との間の隙間に配置されるとともに該外装材に当接されているので、工場等で予めカットされた軒天材の端部に軒天見切材を係合しても、軒天見切材と外装材との間に隙間が生じることがない。
したがって、軒天材を工場等で予めカットすることができ、現場での軒天材のカットの手間を省くことができる。
【発明を実施するための最良の形態】
【００１６】
以下図面を参照して本発明の実施の形態について説明する。
（第１の実施の形態）
図１は、本発明に係る軒天見切構造の一例を示す断面図である。
図１において、符号１は建物躯体を構成する壁パネルを示す。この壁パネル１は、框材１ａを矩形枠状に組み立てるとともに、この枠体の内側に補強桟材を縦横に組み付け、さらに、前記枠体の表裏両面にそれぞれ合板からなる面材１ｂを貼着したものである。建物躯体の壁はこのような壁パネル１を複数接合することによって構築される。
壁パネル１の表面には、外装材２が壁パネル１との間に所定の隙間をもって取り付けられている。図示は省略するが、壁パネル１の表面には、横胴縁が上下に所定間隔で複数平行に固定されており、この横胴縁に外装材２が取り付けられることによって、外装材２と壁パネル１との間に所定の隙間が設けられている。
外装材２の上端は、壁パネル１の上端より低い位置にあり、屋根の軒天の位置とほぼ等しい高さとなっている。
【００１７】
壁パネル１の上端部には、断面三角形状の結合桁３が固定されており、この結合桁３によって屋根パネル４の軒先部が支持されている。屋根パネル４は、框材４ａを矩形枠状に組み立てるとともに、この枠体の内側に補強桟材を縦横に組み付け、さらに、前記枠体の上面に合板からなる面材４ｂを貼着したものである。建物の屋根はこのような屋根パネル４を複数接合することによって構築される。
屋根パネル４の表面には屋根材５が敷設されており、また、屋根パネル４の先端面には断面三角形状の取付部材６が固定されている。
【００１８】
前記取付部材６には横樋７と受材８とが取り付けられている。横樋７は取付部材６の先端側に取り付けられており、受材８は取付部材６の下側に取り付けられている。
受材８は、軒天材１０の先端部を受けて支持するものであり、内側に突出する凸条８ａを備えている。この凸条８ａに軒天材１０の先端部が載置されることによって、軒天材１０の先端部が凸条８ａによって下方から支持されている。
また、屋根の軒先部の裏側には、複数の野縁１１・・・が水平に配置されている。野縁１１・・・は縦横に組み付けられて、格子状に形成されている。この格子状に形成された野縁１１の先端部は屋根パネル１０の先端部に固定されており、基端部は壁パネル１に固定されている。また、野縁１１は屋根パネル４から図示しない吊木によって吊り下げて固定してもよい。
そして、格子状に形成された野縁１１に前記軒天材１０が釘打ち等によって取り付けられている。
【００１９】
前記軒天材１０の基端部と、前記外装材２の上端部との間には隙間が設けられており、この隙間に軒天見切材１５が設けられている。
軒天見切材１５は、図２および図３に示すように、軒天見切材本体１６と調整部材１７とから構成されている。
【００２０】
軒天見切材本体１６は、帯板状のカラー鋼板（塗装鋼板）を折曲することによって形成されたものであり、軒天材１０の基端部の縁に沿って延在している。つまり、軒天見切材本体１６は、図２、図３（ａ）において、紙面と直交する方向に延在している。
また、軒天見切材本体１６は、水平に配置された上板部１６ａと、この上板部１６ａの端部から垂下する垂直板部１６ｂと、この垂直板部１６ｂの下端部から水平に延出する下板部１６ｃとで構成されており、下板部１６ｃの先端部は上に折曲されたうえで、下板部１６ｃの上面に当接されている。
また、下板部１６ｃは上板部１６ａより垂直板部１６ｂからの長さが短くなっている。さらに、上下板部１６ａ，１６ｃ間の距離は、前記外装材２の厚さより若干長くなっている。
このようにして、軒天見切材本体１６には、軒天材１０の端部が係合される溝状の係合部１６ｄが形成されている。
【００２１】
調整部材１７は、帯板状のカラー鋼板（塗装鋼板）を折曲することによって形成されたものであり、軒天材１０の基端部の縁に沿って延在している。つまり、調整部材１７は、図２、図３（ａ）において、紙面と直交する方向に延在している。
また、調整部材１７は、水平に配置された上板部１７ａと、この上板部１７ａの端部から垂下する垂直板部１７ｂとで構成されており、この垂直板部１７ｂの下端部は外側に折曲されたうえで、垂直板部１７ｂの表面に当接されている。
また、上板部１７ａは、前記軒天見切材本体１６の上板部１６ａより左右方向の長さが若干短くなっている。また、垂直板部１７ｂは、前記軒天見切材本体１６の垂直板部１６ｂと上下の長さが等しくなっている。
【００２２】
そして、前記調整部材１７は、図３（ａ）、（ｂ）に示すように、軒天見切材本体１６と一部が重なった状態で、前記軒天見切材本体１６と外装材２との間の隙間に配置されるとともに該外装材２に当接されている。
すなわち、調整部材１７の上板部１７ａは、軒天見切材本体１６の上板部１６ａに重ねられるとともに、上板部１６ａより外装材２側に突出されており、この突出された上板部１７ａと垂直板部１７ｂが前記隙間に配置され、さらに、この垂直板部１７ｂが外装材２の表面に当接されている。
また、軒天見切材本体１６の上板部１６ａと下板部１６との間の係合部１６ｄには、軒天材１０の端部が挿入されて係合されており、これによって、軒天材１０の端部が見切られている。
【００２３】
前記軒天材１０は、その下面から釘等の止着材１８を前記野縁１１に打ち込むことによって固定されており、軒天材１０の端部も、その下面から止着材１１を軒天見切材１５を貫通して野縁１１に打ち込むことによって固定されている。これによって、軒天見切材１５は、軒天材１０の端部と野縁１１によって挟まれている。したがって、調整部材１７は軒天見切部材本体１６に対してずれることなく、軒天見切材本体１６と外装材２との間の隙間に配置固定される。また、軒天見切部材本体１６も、軒天材１０の端部に係合した状態で配置固定される。
【００２４】
上記構成の軒天見切構造を施工する場合、軒天材１０を野縁１１に取り付ける前に、予め軒天材１０の端部に、軒天見切材本体１６の係合部１６ｄを係合しておく。
次に、軒天見切材本体１６が係合された軒天材１０を屋根の軒先に取り付けるとともに、調整部材１７を、その一部が軒天見切材本体１６と重なった状態で、軒天見切材本体１６と外装材２との間の隙間に配置するとともに該外装材２に当接する。つまり、軒天見切材本体１６が係合された軒天材１０を屋根の軒先の野縁１１の下面側に配置するとともに、軒天見切材本体１６の上板部１６ａに、調整部材１７の上板部１７ａを重ね、この状態で、上板部１７ａの一部と垂直板部１７ｂとを、軒天見切材本体１６と外装材２との間の隙間に配置するとともに、垂直板部１７ｂを外装材２に当接する。
【００２５】
この場合、図３に示すように、建物を施工する際の施工誤差等によって、屋根の軒先と建物躯体に取り付けられた外装材２との間の距離が設計寸法より長くなっていても、それに合わせて、調整部材１７を外装材２側へ突出させて、この外装材２に当接できる。
また、図４に示すように、屋根の軒先と建物躯体に取り付けられた外装材２との間の距離が設計寸法どおりであれば、調整部材１７を軒天見切材本体１６側に引き寄せた状態で、外装材２に当接できる。
【００２６】
次に、軒天材１０の下面から止着材１８を野縁１１に打ち込むことによって、軒天材１０を野縁に固定する。この際、軒天材１０の端部も、その下面から止着材１１を軒天見切材１５を貫通して野縁１１に打ち込むことによって固定する。これによって、軒天見切材１５は、軒天材１０の端部と野縁１１によって挟まれる。したがって、調整部材１７は軒天見切部材本体１６に対してずれることなく、軒天見切材本体１６と外装材２との間の隙間に配置固定される。また、軒天見切部材本体１６も、軒天材１０の端部に係合した状態で配置固定される。
【００２７】
このように、本実施の形態によれば、軒天見切材本体１６が軒天材１０の端部に係合され、調整部材１７が軒天見切材本体１６と一部が重なった状態で、軒天見切材本体１６と外装材２との間の隙間に配置されるとともに該外装材２に当接されるので、工場等で予めカットされた軒天材１０の端部に軒天見切材１５を係合しても、軒天見切材１５と外装材２との間に隙間が生じることがない。
したがって、軒天材１０を工場等で予めカットすることができ、現場での軒天材１０のカットの手間を省くことができる。
また、軒天見切材１５は、軒天材１０の端部と野縁１１によって挟まれているので、軒天材１０の端部と建物躯体に取り付けられた外装材２との間に軒天見切材１５を確実に固定できる。
【００２８】
（第２の実施の形態）
図５および図６は本発明の第２の実施の形態を示す図である。
本実施の形態の軒天見切構造が、前記図１〜図４に示した第１の実施の形態の軒天見切構造と異なる点は、軒天見切材の構成であるので、以下では主にこの軒天見切材について説明し、第１の実施の形態の軒天見切構造と共通部分には同一符号を付してその説明を省略ないし簡略化する。
【００２９】
図６に示すように、本実施の形態における軒天見切材２５は、軒天見切材本体２６と、第１の実施の形態と同様の構成の調整部材１７とによって構成されている。
そして、調整部材１７は、軒天見切部材本体２６に以下のようにしてスライド可能に係合されている。
すなわちまず、軒天見切部材本体２６は、帯板状のカラー鋼板（塗装鋼板）を折曲することによって形成されたものであり、軒天材１０の基端部の縁に沿って延在している。つまり、軒天見切材本体２６は、図５（ａ）、図６において、紙面と直交する方向に延在している。
また、軒天見切材本体２６は、水平に配置された上板部２６ａと、この上板部２６ａの端部から垂下する垂直板部２６ｂと、この垂直板部２６ｂの下端部から水平に延出する下板部２６ｃとで構成されており、下板部２６ｃの先端部は上に折曲されたうえで、下板部１６ｃの上面に当接されている。
前記上板部２６ａは、所定の隙間Ｓをもって重なるように折曲形成されており、重ねられた上側の上板部２６ａと下側の上板部２６ａとの間の隙間Ｓに、調整部材１７の上板部１７ａが挿入されて係合されている。この状態において、上板部１７ａは隙間Ｓに、左右にスライド可能に係合しており、これによって、調整部材１７は、軒天見切部材本体２６にスライド可能に係合されているのである。
なお、隙間Ｓは上板部１７ａの厚さとほぼ等しいか若干小さくなっている。また、隙間Ｓの左右の長さは、上板部１７の左右の長さより長くなっている。
また、下板部２６ｃは上板部２６ａより垂直板部２６ｂからの長さが短くなっている。さらに、上下板部２６ａ，２６ｃ間の距離は、前記外装材２の厚さより若干長くなっている。これによって、軒天見切材本体２６には、軒天材１０の端部が係合される溝状の係合部２６ｄが形成されている。
【００３０】
そして、前記調整部材１７は、図５（ａ）、（ｂ）に示すように、軒天見切材本体２６と一部が重なった状態で、前記軒天見切材本体２６と外装材２との間の隙間に配置されるとともに該外装材２に当接されている。
すなわち、調整部材１７の上板部１７ａは、軒天見切材本体２６の上板部２６ａ，２６ａ間の隙間Ｓにスライド可能に係合されて、上板部２６ａ，２６ａに重ねられるとともに、上板部２６ａより外装材２側に突出されており、この突出された上板部１７ａと垂直板部１７ｂが、軒天見切材本体２６と外装材２との間の隙間に配置され、さらに、この垂直板部１７ｂが外装材２の表面に当接されている。
また、軒天見切材本体２６の上板部２６ａと下板部２６ｃとの間の係合部２６ｄには、軒天材１０の端部が挿入されて係合されており、これによって、軒天材１０の端部が見切られている。
【００３１】
前記軒天材１０は、その下面から釘等の止着材１８を前記野縁１１に打ち込むことによって固定されており、軒天材１０の端部も、その下面から止着材１１を軒天見切材２５を貫通して野縁１１に打ち込むことによって固定されている。これによって、軒天見切材２５は、軒天材１０の端部と野縁１１によって挟まれている。したがって、調整部材１７は軒天見切部材本体２６に対してずれることなく、軒天見切材本体２６と外装材２との間の隙間に配置固定される。また、軒天見切部材本体２６も、軒天材１０の端部に係合した状態で配置固定される。
【００３２】
上記構成の軒天見切構造を施工する場合、軒天材１０を野縁１１に取り付ける前に、予め軒天材１０の端部に、軒天見切材本体２６に調整部材１７がスライド可能に係合されてなる軒天見切材２５の前記軒天見切材本体２６を係合しておく。つまり、軒天材１０の端部に、軒天見切材２５を係合しておく。
次に、軒天見切材２５が係合された軒天材１０を屋根の軒先に取り付けるとともに、調整部材１７をスライドさせて軒天切材本体２６と外装材２との間の隙間に配置するとともに該外装材２に当接する。つまり、軒天見切材２５が係合された軒天材１０を屋根の軒先の野縁１１の下面側に配置するとともに、調整部材１７を外装材２側にスライドさせて、該外装材２に当接する。
【００３３】
この場合、図３に示すように、建物を施工する際の施工誤差等によって、屋根の軒先と建物躯体に取り付けられた外装材２との間の距離が設計寸法より長くなっていても、それに合わせて、調整部材１７を外装材２側へスライドさせて、この外装材２に当接できる。
また、屋根の軒先と建物躯体に取り付けられた外装材２との間の距離が設計寸法どおりであれば、調整部材１７を外装材２と反対側にスライドさせて、軒天見切材本体２６側に引き寄せた状態で、外装材２に当接できる。
【００３４】
次に、軒天材１０の下面から止着材１８を野縁１１に打ち込むことによって、軒天材１０を野縁に固定する。この際、軒天材１０の端部も、その下面から止着材１１を軒天見切材２５を貫通して野縁１１に打ち込むことによって固定する。これによって、軒天見切材２５は、軒天材１０の端部と野縁１１によって挟まれる。したがって、調整部材１７は軒天見切部材本体２６に対してずれることなく、軒天見切材本体２６と外装材２との間の隙間に配置固定される。また、軒天見切部材本体２６も、軒天材１０の端部に係合した状態で配置固定される。
【００３５】
本実施の形態によれば、軒天見切材２５が取り付けられた軒天材１０を屋根の軒先の野縁１１に取り付けるとともに、調整部材１７をスライドさせて軒天切材本体２６と外装材２との間の隙間に配置するとともに該外装材２に当接するので、工場等で予めカットされた軒天材１０の端部に軒天見切材２５を係合しても、軒天見切材２５と外装材２との間に隙間が生じることがない。
したがって、軒天材１０を工場等で予めカットすることができ、現場での軒天材１０のカットの手間を省くことができる。
また、軒天材１０に予め、軒天見切材本体２６に調整部材１７がスライド可能に係合されてなる軒天見切材２５を係合しておくので、軒天材１０を屋根の軒先に取り付ける際に、調整部材１７を軒天見切部材本体２６に重ねる作業が不要であり、軒天材１０の取り扱いが容易となる。
【図面の簡単な説明】
【００３６】
【図１】本発明に係る軒天見切構造の第１の実施の形態を示すもので、軒天見切構造を備えた軒先部の側断面図である。
【図２】同、軒天見切材を示す断面図である。
【図３】同、屋根の軒先と外装材との間の距離が設計寸法より長い場合の軒天見切構造を示すもので、（ａ）は側断面図、（ｂ）は斜視図である。
【図４】同、屋根の軒先と外装材との間の距離が設計寸法どおりの場合の軒天見切構造を示すもので、（ａ）は側断面図、（ｂ）は斜視図である。
【図５】本発明に係る軒天見切構造の第２の実施の形態を示すもので、（ａ）は側断面図、（ｂ）は斜視図である。
【図６】同、軒天見切材を示す断面図である。
【符号の説明】
【００３７】
１  壁パネル（建物躯体）
２  外装材
４  屋根パネル（屋根）
１０  軒天材
１１  野縁
１５，２５  軒天見切材
１６，２６  軒天見切材本体
１７  調整部材
１８  止着材
【図１】
2009203691.tif 000003
【図２】
2009203691.tif 000004
【図３】
2009203691.tif 000005
【図４】
2009203691.tif 000006
【図５】
2009203691.tif 000007
【図６】
2009203691.tif 000008